(57)【特許請求の範囲】
【請求項１】
紙幣束を出し入れする紙幣束の入出金口部と、この入出金口部の上面に位置し紙幣束の上側ガイド面と、前記入出金口部の下面に位置し紙幣束の下側ガイド面と有する現金自動取引装置において、
前記入出金口部を左右に分割したそれぞれの領域で、前記上側ガイド面および下側ガイド面に、前記上側ガイド面と前記下側ガイド面の間隔を狭くする突起を上下略同じ幅方向の位置で設けたことを特徴とする現金自動取引装置。
【請求項２】
請求項１記載の現金自動取引装置において、
左右に設けられた前記突起は、前記入出金口部の左右方向に広がる傾斜面で構成されていることを特徴とする現金自動取引装置。
【請求項３】
請求項１若しくは２のいずれかに記載の現金自動取引装置において、
左右に設けられた前記突起同士の間隔は、紙幣の挿入方向に対して奥になるほど広くなるように構成されていることを特徴とする現金自動取引装置。
【発明の詳細な説明】
【技術分野】
【０００１】
本発明は、現金自動取引装置に関するものである。
【背景技術】
【０００２】
複数枚の紙幣束を出し入れする現金自動取引装置において、紙幣を出し入れする通路となる入出金口部からの異物の混入を防ぎ、また装置小型化の観点からは入出金口部は小さい方が望ましいが、小さすぎると紙幣の出し入れが行いにくいという問題が発生してしまう。
【０００３】
特に、紙幣は繰り返し使用されると折れ癖やしわを生じ、積み重ねたときの厚さが折れ癖やしわの影響で新券を積み重ねた場合より厚くなり、その厚さが数倍程度になることもある。  
さらに、このような紙幣束を挟持すると、挟持した部分の厚さは新券時の厚さに近づくが、挟持していない部分の厚さは逆に大きく膨らんでしまう。膨らんだ部分は紙幣取扱機構に出し入れする際に、入出金口部の上側ガイドまたは下側ガイド部分に接触しやすくなり、紙幣の側端部が折れやすくなる。
【０００４】
また、膨らんだ部分も搬送ガイドなどに押しつぶされ過大な接触抵抗力を発生し、紙幣が傾いて取り込まれたり、装置内で詰まったり、利用者が紙幣束を取り出しにくくなったりする恐れがあった。
【０００５】
【特許文献１】特開２００４−１１０２８９号公報
【発明の開示】
【発明が解決しようとする課題】
【０００６】
上記特許文献１では、使い古されて厚みが増えるなどの、様々な状態となった紙幣の出し入れをスムーズに行う配慮がなされていなかった。
【０００７】
本発明の目的は、様々な状態の紙幣束に対してスムーズに出し入れでき小型化可能な入出金口部を備えた現金自動取引装置を提供することにある。
【課題を解決するための手段】
【０００８】
上記目的は、紙幣束を出し入れする紙幣束の入出金口部と、この入出金口部の上面に位置し紙幣束の上側ガイド面と、前記入出金口部の下面に位置し紙幣束の下側ガイド面と有する現金自動取引装置において、前記入出金口部を左右に分割したそれぞれの領域で、前記上側ガイド面および下側ガイド面に、前記上側ガイド面と前記下側ガイド面の間隔を狭くする突起を上下略同じ幅方向の位置で設けたことにより達成される。
【００１１】
また、上記目的は、前記左右に設けられた突起は、前記入出金口の左右方向に広がる傾斜面で構成されていることにより達成される。
【００１２】
また、上記目的は、前記左右に設けられた突起同士の間隔は、紙幣の挿入方向に対して奥になるほど広くなるように構成されていることにより達成される。
【発明の効果】
【００１３】
本発明によれば、様々な状態の紙幣束に対してスムーズに出し入れでき小型化可能な入出金口部を備えた現金自動取引装置を提供できる。
【発明を実施するための最良の形態】
【００１４】
以下、本発明の一実施例について図面を用いて説明する。  
【実施例１】
【００１５】
図１は、金融機関などに設置される現金自動取引装置１００の斜視図である。  
図１において、現金自動取引装置１００の内部には、利用者が紙幣を投入（入金）、または、利用者へ紙幣を放出（出金）する紙幣取扱装置１０１と、利用者のカードを処理し取引明細票を印字して放出するカード・明細票処理装置１０２と、利用者の通帳に取引内容を記帳する通帳処理装置１０３と、利用者に案内を表示し利用者からの指示を入力する利用者操作部１０４と、前記各装置を監視制御する本体制御部１０５と、上記各構成部分に電力を供給する電源部１０６があり、現金自動取引装置前面にはフロントパネル１１０を設けている。取引時に利用者が操作する、紙幣取扱装置１０１、カード・明細票処理装置１０２、通帳処理装置１０３、利用者操作部１０４、入出金口部９は、すべてフロントパネル１１０に接続され、利用者はフロントパネル１１０内で操作する。特に、紙幣を取り扱う取引の場合、利用者はフロントパネル１１０に設けられた入出金口部９を介して紙幣取扱装置１０１へ紙幣を出し入れする。
【００１６】
図２は前記現金自動取引装置１００の制御関係を示す制御ブロック図である。  
図２において、現金自動取引装置１００に収められた、紙幣取扱装置１０１、カード・明細票処理装置１０２、通帳処理装置１０３、および利用者操作部１０４は、バス１０７ａを介して本体制御部１０５と接続されており、本体制御部１０５の制御により必要な動作を行う。本体制御部１０５は、上記の他に、外部にあるホストコンピュータなどと接続を行うインターフェース部１０７ｂ、保守時などに係員が操作する係員操作部１０７ｃ、外部記憶装置１０７ｄともバス１０７ａで接続されており、必要なデータのやり取りを行う。１０６は電源部である。
【００１７】
ここで、図１に示した現金自動取引装置１００が例えば屋外に面して設置されるような場合、雨や塵埃などの異物を装置内へ入り込まないようにするため、現金自動取引装置１００で扱う紙幣、カードや通帳などの媒体を出し入れする入出金口部９はできるだけ小さく設定されている。また入出金口部９は小さい方がフロントパネル１１０内のレイアウトの自由度も上がり、さらに現金自動取引装置１００全体の小型化にも寄与するため製造および設置コストの削減に繋がる。しかし、入出金口部９が小さすぎると紙幣等の媒体の出し入れが行い難いという問題がる。
【００１８】
ところで、日本国内の銀行等に設置されている現金自動取引装置における入金は蓋付きの収納ボックスに紙幣を投函して蓋を閉めると金額の自動的に金額の確認が行っている。ところが、海外向け現金自動取引装置において、装置本体は堅牢な壁の内側に設置され、外部には入出金口部９だけが露出している。これは日本と海外の文化に違いもあるが盗難防止に関係している。
【００１９】
このように入出金口だけが露出している現金自動取引装置はもともと出金のみが一般的であったが近年入金機能を付加した装置が提案されるようになってきている。入金機能を付加することによる利点としては、出金のみであると常に紙幣の補充が必要であるが、入金することによって入金された紙幣を出金に使うことができるので現金自動取引装置の管理者による紙幣補充作業が大幅に低減できるという効果がある。
【００２０】
しかしながら、この現金自動取引装置に入金機能の付加した場合には以下のような問題が考えられる。  
紙幣取扱装置１０１は、１枚だけの紙幣を扱うこともあるが、他の装置と異なり、最大２００枚程度まで束にして取り扱う場合がある。複数枚の場合は、利用者は複数枚重ねた束の状態で、紙幣取扱装置１０１へ入れたり、紙幣取扱装置１０１から出したりする。紙幣束が新券である場合は、利用者または紙幣取扱装置１０１が紙幣束を挟持する前と後で、紙幣束の厚さは大きく変わらない。しかし、使い古された紙幣の場合の場合は、折れ癖やしわの影響で紙幣束の厚さが新券のものに比べて厚くなる。特に海外の紙幣は
このように使い古された紙幣束を紙幣束中央付近で挟持すると、挟持した部分の厚さは新券の場合の厚さに近づくが、挟持していない部分の厚さは逆に大きく膨らんでしまう。このような紙幣束を入れようとすると、膨らんだ部分が入出金口部９の上側ガイド面または下側ガイド面に接触し、紙幣が折れやすくなる。また、膨らんだ部分も搬送ガイドなどに押しつぶされ過大な接触抵抗力を発生し、紙幣が傾いて取り込まれたり、装置内で詰まったりして利用者が紙幣束を取り難くなったりする恐れがあった。
【００２１】
そこで本発明では、様々な状態の紙幣束に対してもスムーズに出し入れでき小型化可能な入出金口部を備えた現金自動取引装置を提供するものである。
【００２２】
次に、本発明が適用される入出金口部９について図３を用いて説明する。  
図３は図１の入出金口部９の拡大斜視図であり、利用者１が紙幣束２を紙幣取扱機構１０１に入れる様子を示している。
【００２３】
図３において、上側ガイド１０Ｕ、下側ガイド１０Ｄ、左側ガイド１０Ｌ、右側ガイド１０Ｒは、入出金口部９の四方に設けられ、利用者１が紙幣２を出し入れする際に紙幣束２を案内する。紙幣束２を案内しやすいように、各ガイドで構成される口の大きさは、利用者１側の方が広く、紙幣取扱機構１０１側に近づくにつれ徐々に狭くなるように構成されている。また、上側ガイド１０Ｕ、下側ガイド１０Ｄには、利用者１が操作しやすいように窪み１１が設けられている。窪み１１により、利用者１は手を入れやすくなり、操作性が向上するが、必須の構成ではない。突起１２は入出金口部9幅方向を左右に分割したそれぞれの領域の上側ガイド１０Ｕおよび下側ガイド１０Ｂ上に設けられ、意図的に入出金口部の高さを狭めている。
【００２４】
シャッター１３は入出金口部９と紙幣取扱装置１０１の間に設けられ、取引に応じてシャッターモータ１４で矢印イ矢印ロのように開閉され、入出金口部９と紙幣取扱装置１０１間を接続する。シャッター１３は紙幣取扱装置１０１側に固定されていても、フロントパネル１１０側に固定されていても良い。
【００２５】
図４（ａ）〜（ｃ）は、入出金口部９の高さが最小となる場所における入出金口部９の形状を示す断面図である。
【００２６】
図４（ｂ）を例に説明すると、入出金口部９の左右それぞれ位置する突起１２頂点部における上側ガイド１０Ｕと下側ガイド１０Ｄの間隔Ｔ１は入出金口部９の全幅に対して最小としている。突起外側部の最大間隔Ｔ２は、突起部間隔Ｔ１より大きく、突起１２の頂点に対し上側ガイド１０Ｕおよび下面１０Ｂが上下に退避しているため、紙幣束２は接触しにくくなる。また、突起内側部の最大間隔Ｔ３も同様にＴ１より大きく、突起１２の頂点に対し上側ガイド１０Ｕおよび１０Ｂが上下に退避している。これも、紙幣を接触しにくくするが、主に利用者操作性向上のための窪み１１によって寸法が定まる。このとき、突起１２の内側部の最小間隔はＴ１と等しくなるが、Ｔ１が上側ガイド１０Ｕと下側ガイド１０Ｂの最小間隔であることに変わりは無い。１０Ｌは左側ガイドであり、１０Ｒは右側ガイドである。
【００２７】
図４（ａ）は窪み１１を設けていない例であるが入出金口部の高さを小型化できる利点がある。図４（ｂ）は、図（ａ）に窪み１１を設けたもので、利用者が手を入れやすくなり、紙幣の操作性が向上する。図４（ｃ）は突起１２の外側の上側ガイド１０Ｕおよび上側ガイド１０Ｂの間隔が外側ほど広くなる形状にしたもので、紙幣束を挟持したときに膨らんでしまう紙幣側端がより確実に接触しないようになっている。また、紙幣が明らかに接触しない突起１２の根元部で無意味な空間があかないようにしている。このとき、突起外側部の上側ガイド１０Ｕと下側ガイド１０Ｂの最小間隔はＴ１と等しくなるが、Ｔ１が上側ガイド１０Ｕと下側ガイド１０Ｂの最小間隔であることに変わりは無い。
【００２８】
図５（ａ）（ｂ）は入出金口部９周辺の上面図である。  
図５（ａ）において、突起１２は紙幣束２を出し入れする方向に対して略平行に設けているが、図５（ｂ）に示すように、左右に設けられた突起１２の間隔について、紙幣を入れる方向に対して奥になるほど広くなるように設けても良い。このような突起に紙幣束２が接触しながら入れられると、紙幣側端が上側ガイド１０Ｕ、下側ガイド１０Ｂ（図示せず）に接触し折れそうな場合に、紙幣束２の前端は突起１２の接触部が徐々に外側に変わるため、紙幣側端を外側へ戻そうとする力が働き、図５（ａ）に比べ更に紙幣側端折れ防止効果が望める。
【００２９】
シャッター１３は入出金口部９（図示せず）と紙幣取扱装置１０１の間に設けられ、取引に応じてシャッターモータ１４で矢印イ矢印ロ（図３に示す）のように開閉され、入出金口部９と紙幣取扱装置１０１間を接続する。シャッター１３は紙幣取扱装置１０１側に固定されていても、フロントパネル１１０側に固定されていても良い。
【００３０】
入出金口部９は、シャッター１３の手前または後ろで、紙幣取扱装置１０１と脱着可能に接続されている。メンテナンスの際など、必要に応じて、紙幣取扱装置１０１は入出金口部９と切り離され現金自動取引装置１００（図示せず）から引き出されるようになっている。  
なお、本実施例で入出金口部９はフロントパネル１１０に設けられている例を示したが、入出金口部９は紙幣取扱装置１０１に設けても良い。その場合、フロントパネル１１０と入出金口部９が脱着可能に接続され、紙幣取扱装置１０１を現金自動取引装置１００から引き出す時には、入出金口部９は紙幣取扱装置１０１とともに引き出される。
【００３１】
次に、入出金口部９を介して紙幣を出し入れする現金自動取引装置１００の取引動作を図１と図３を使って説明する。  
最初に、利用者操作部１０４に実行可能な取引について案内表示を行う。利用者は利用者操作部１０４から行いたい取引を指示する。まず、預け入れが選択された場合について説明する。利用者により預け入れが選択されると、カードや通帳をカード・明細票処理装置１０２や通帳処理装置１０３へ挿入するよう利用者操作部１０４に案内する。カードや通帳を受け付けると、図３に示すシャッターモータ１４を駆動しシャッター１３を矢印イ方向へ開き、紙幣の投入を待つ。利用者は上側ガイド１０Ｕ、下側ガイド１０Ｂ、左側ガイド１０Ｌ、右側ガイド１０Ｒに沿って紙幣束２を入出金口部９に入れる。このとき紙幣束２は主に突起１２の頂点部に接触し、紙幣側端は上側ガイド１０Ｕ、下側ガイド１０Ｂになるべく接触しないようなっている。紙幣が入れられたことを検出したら、シャッターモータ１４を駆動し、シャッター１３を矢印ロの方向に閉め、紙幣取扱装置１０１は紙幣束を１枚ずつあるいは一括して取りこみ、その後の入金処理を行う。入金処理が完了すると、取引き結果に応じてカード・明細票処理装置１０２はカード・明細票を処理し、通帳処理装置１０３は通帳に記帳し、利用者へ放出する。以上で預け入れ取引は終了する。
【００３２】
次に、払い戻しが選択された場合について説明する。  
利用者により払い戻しが選択されると、カードや通帳をカード・明細票処理装置１０２や通帳処理装置１０３へ挿入するように利用者操作部１０４に案内する。カードや通帳を受け付けると、利用者操作部に暗証番号を入力するように案内する。利用者が暗証番号を入力し認証されると、続いて払い戻し金額を入力する様案内する。
【００３３】
その後、紙幣取扱装置１０１は、取引に必要な紙幣をシャッター１３の手前で集積し、シャッターモータ１４を駆動しシャッター１３を矢印イ方向に開く。利用者は入出金口部９を介して紙幣束を取り出す。このとき、紙幣束は主に突起１２の頂点で接触しているため、上側ガイド１０Ｕ、下側ガイド１０Ｂの接触抵抗は低くすることができ、利用者はスムーズに紙幣束２を取り出すことができる。利用者が紙幣束を取り出したことを確認したら、シャッターモータ１４を駆動し、シャッター１３を矢印ロ方向に閉める。以上で、出金動作は完了する。その後、取引き結果に応じてカード・明細票処理装置１０２はカード・明細票を処理し、通帳処理装置１０３は通帳に記帳し、利用者へ放出する。以上で払い戻し取引は終了する。
【００３４】
なお、本実施例では紙幣束を略水平方向に出し入れする構成を示したが、紙幣束を略垂直方向や斜めに出し入れする構成であっても良い。
【００３５】
以上説明した構成により、挟持したときに挟持していない部分が大きく膨らむような紙幣束であっても入出金口部を出し入れする際に、上側ガイド面または下側ガイド面に接触しづらくし、紙幣が折れ、斜行しての取込や、装置内での詰まりを防ぐことができる。また、利用者もスムーズに紙幣束の出し入れを行える小型化可能な入出金口部を備えた現金自動取引装置を提供できる。
【図面の簡単な説明】
【００３６】
【図１】本発明の一実施例を適用した現金自動取引装置の斜視図である。
【図２】本発明の一実施例を適用した現金自動取引装置の制御ブロック図である。
【図３】本発明の一実施例を説明する入出金口部の拡大斜視図である。
【図４】本発明の特徴を説明する入出金口部の断面図である。
【図５】本発明の特徴を説明する入出金口部周辺の上面図である。
【符号の説明】
【００３７】
１…利用者、２…紙幣束、９…入出金口部、１０Ｕ…上側ガイド、１０Ｂ…下側ガイド、１０Ｌ…左側ガイド、１０Ｒ…右側ガイド、１１…窪み、１２…突起、１３…シャッター、１４…シャッターモータ、１００…現金自動取引装置、１０１…紙幣取扱装置、１１０…フロントパネル、Ｔ１…突起１２頂点部の上側ガイド１０Ｕと下側ガイド１０Ｂの間隔、Ｔ２…突起１２外側における上側ガイド１０Ｕと下側ガイド１０Ｂの最大間隔、Ｔ３…突起１２内側における上側ガイド１０Ｕと下側ガイド１０Ｂの最大間隔。
【図１】
0004686275.tif 000002
【図２】
0004686275.tif 000003
【図３】
0004686275.tif 000004
【図４】
0004686275.tif 000005
【図５】
0004686275.tif 000006